(57)【要約】【目的】  アナログ回線インタフェースを備えないＩＰ電話システムの性能試験においても擬似呼発生装置の使用を可能とする中継装置を提供する。【構成】  本発明による中継装置は、擬似呼発生装置とＩＰ網との間に少なくとも１つの中継路を設定して電話信号を中継する中継装置であり、前記中継路の各々において、擬似電話信号の信号形状とＩＰ電話信号の信号形状との信号変換をなす変換手段を含むことを特徴とする。【選択図】  図２
2006237669.tif 000002
【特許請求の範囲】
【請求項１】
擬似呼発生装置とＩＰ網との間に少なくとも１つの中継路を設定して電話信号を中継する中継装置であって、
前記中継路の各々において、擬似電話信号の信号形状とＩＰ電話信号の信号形状との信号変換をなす変換手段を含むことを特徴とする中継装置。
【請求項２】
前記変換手段は、前記ＩＰ電話呼信号の信号形状に適合する複数の異なる仕様のＩＰ電話プロトコルのうちから予め指定される１つの仕様のＩＰ電話プロトコルに従って前記信号変換をなすことを特徴とする請求項１記載の中継装置。
【請求項３】
前記中継路は、１つのチャネルを構成する一対からなることを特徴とする請求項１又は２記載の中継装置。
【請求項４】
前記チャネルは複数であることを特徴とする請求項３記載の中継装置。
【請求項５】
前記ＩＰ網に呼制御装置が接続され、前記呼制御装置は、前記擬似呼発生装置から送信される前記ＩＰ電話信号に応じて呼制御を行うことを特徴とする請求項１に記載の中継装置。
【請求項６】
前記ＩＰ網にＩＰ交換機が接続され、前記ＩＰ交換機は、前記擬似呼発生装置から送信される前記ＩＰ電話信号に応じて呼制御を行い、前記擬似呼発生装置に前記擬似電話信号
を送信することを特徴とする請求項１に記載の中継装置。
【請求項７】
前記ＩＰ網にＩＰ交換機が接続され、前記ＩＰ交換機は、前記擬似呼発生装置から送信される前記擬似電話信号に応じて呼制御を行い、前記擬似呼発生装置に前記ＩＰ電話信号
を送信することを特徴とする請求項１に記載の中継装置。
【発明の詳細な説明】
【技術分野】
【０００１】
本発明は、例えばＩＰ（Internet Protocol）構内交換機やその周辺機器を含むＩＰ電話システムの試験のために、擬似呼発生装置とＩＰ網との間に設置される中継装置に関する。
【背景技術】
【０００２】
従来から、アナログ電話交換機の呼処理能力を検証するために、擬似的な呼、すなわち擬似電話信号を発生する擬似呼発生装置が用いられている。一方、ＩＰ電話の普及につれて、ＩＰ−ＰＢＸ（Private Branch Exchange）或いは呼制御サーバと称されるＩＰ電話交換機の呼処理能力を検証するための手段が必要となってきている。そのために、従来からのアナログ電話交換機のための擬似呼発生装置を流用することが考えられる。
【０００３】
既存の擬似呼発生装置を用いてＩＰ構内交換機の呼処理能力を検証するには、評価対象の交換機装置自体にアナログ回線インタフェースを備えることが要求される。例えば、図１に示すように、ＩＰ構内交換機１０及び２０にアナログ回線カード１１及び１２を各々実装し、これら各カードを介して擬似呼発生装置４０を接続することが行われる。例えば，アナログ回線カード１１で発信をなし、他方のアナログ回線カード１２で着信を受けることにより試験を行う。また、特許文献１に開示される形態の如くアナログ回線インタフェースを備える回線終端装置を用いることでも擬似呼発生装置を用いることができる。
【特許文献１】特開２００４−２９７６７２号公報
【発明の開示】
【発明が解決しようとする課題】
【０００４】
しかしながら、従来の形態ではＩＰ構内交換機を含むＩＰ電話システム側にアナログ回線インタフェースを備えることが前提条件となり、アナログ電話との接続を必ずしも前提としないＩＰ電話システムに対して、従来の擬似呼発生装置をそのまま使用することはできないという問題がある。
【０００５】
本発明の目的は、アナログ回線インタフェースを備えないＩＰ電話システムの性能試験においても擬似呼発生装置の使用を可能とする中継装置を提供することである。
【課題を解決するための手段】
【０００６】
本発明による中継装置は、擬似呼発生装置とＩＰ網との間に少なくとも１つの中継路を設定して電話信号を中継する中継装置であり、前記中継路の各々において、擬似電話信号の信号形状とＩＰ電話信号の信号形状との信号変換をなす変換手段を含むことを特徴とする。
【発明の効果】
【０００７】
本発明による中継装置によれば、擬似呼発生装置の擬似電話信号の信号形状と、該ＩＰ網のＩＰ電話信号の信号形状との間の信号変換をなす構成が与えられる。これにより、アナログ回線インタフェースを備えないＩＰ電話システムの性能試験においても擬似呼発生装置の使用が可能となる。
【発明を実施するための最良の形態】
【０００８】
本発明の実施例について添付の図面を参照して詳細に説明する。
＜第１の実施例＞
図２は、本発明の実施例であり、擬似呼ＩＰ化変換装置を含む全体の構成を示している。擬似呼ＩＰ化変換装置１００は本発明による中継装置を構成する。擬似呼発生装置１０４は、擬似呼電話信号を発生する装置であり、上り（発信側）ポート及び下り（着信）ポートを備え、該２つのポートの各々に２線式のアナログ回線が接続可能である。ＬＡＮ１１２は、ＩＰ電話を実現する特定の仕様の呼制御プロトコルによりＩＰ電話信号を伝送することでＩＰ電話を可能とするＩＰ網である。ＬＡＮ１１２には試験対象装置（図示せず）が接続され得る。
【０００９】
擬似呼ＩＰ化変換装置１００は、アナログインタフェース部１０１、ＬＡＮインタフェース部１０２及びプロトコル制御部１０３を含む。アナログインタフェース部１０１は、擬似呼発生装置１０４の上りポート及び下りポートの各々にアナログ回線１０５及びアナログ回線１０６を介して擬似呼発生装置１０４に接続される。アナログインタフェース部１０１は、制御線１０７及び制御線１０８を介してＬＡＮインタフェース部１０２に接続される。プロトコル制御部１０３は、制御線１０９を介してＬＡＮインタフェース部１０２に接続される。ＬＡＮインタフェース部１０２は、例えばIEEE802.3 10BASE-T 又はIEEE802u 100BASE-TXの規格に基づくイーサネット（登録商標）方式を用いることによりＬＡＮ回線１１０及び１１１を介してＬＡＮ１１２に接続される。以上の接続により、擬似呼ＩＰ化変換装置１００には、アナログ回線１０５からＬＡＮ回線１１０に至る１つの中継路と、アナログ回線１０６からＬＡＮ回線１１１に至る他の１つの中継路とを一対とする１つのチャネルが設けられる。例えば、前者の中継路を発信側の上り中継路に用い、後者の中継路を着信側の下り経路に用いることができる。
【００１０】
プロトコル制御部１０３は、擬似呼ＩＰ化変換装置１００の上り及び下りのＩＰアドレス、試験対象装置のＩＰアドレスの管理と、Ｈ．３２３、ＭＧＣＰ（Media Gateway Control Protocol）及びＳＩＰ（Session Initiation Protocol）等の複数の仕様の呼制御プロトコルに応じた制御パケットの生成を行う機能を備え、予めの設定により１つの呼制御プロトコルに適合する信号形状の制御パケットの生成を行う機能を備える。あるいは、擬似呼ＩＰ化変換装置１００に入力される制御・音声パケットから適切なプロトコルを自動的に選択するようにしても良い。
【００１１】
図３は、擬似呼ＩＰ化変換装置が発信動作をなす時の各部の信号形状を示している。該信号形状について図２に示される構成要素を適宜参照して説明する。尚、示されるパケットは、発信動作に必要なパケットのみが示されている。
【００１２】
アナログ信号３００は、２線式アナログ電話方式に従った信号形状であり、図２に示される擬似呼発生装置１０４からアナログ回線１０５を介して擬似呼ＩＰ化変換装置１００のアナログインタフェース部１０１に印加される。制御信号３０１は、アナログインタフェース部１０１からＬＡＮインタフェース部１０２に送られる制御信号であり、制御線１０７を介して出力される。制御信号３０２は、ＬＡＮインタフェース部１０２からアナログインタフェース部１０１に送られる制御信号で制御線１０８を介して出力される。制御・音声パケット３０３は、ＬＡＮ回線１１０を介してＬＡＮインタフェース部１０２とＬＡＮ１１２に入出力されるＩＰ電話方式に従った制御パケット又は音声パケットである。
【００１３】
擬似呼発生装置１０４は、その発呼に際して、期間３０４の開始にオフフック動作を実行し、ＤＴ（ダイアルトーン）信号の送出をアナログインタフェース部１０１に促す。擬似呼発生装置１０４は、期間３０４中にＤＴ信号を受信し、ＤＴ信号停止後、期間３０５の間にダイアル番号をアナログインタフェース部１０１に送出する。ダイアル信号送出終了後、信号なしの状態が一定期間続くと、アナログインタフェース部１０１は、ダイアル信号の終了を判断し、期間３０６の間でＲＢＴ（リングバックトーン）信号を擬似呼発生装置１０４側に送出する。同時にアナログインタフェース部１０１は、ダイアル信号、つまり相手先電話番号をデジタル信号に変換した呼情報３０８をＬＡＮインタフェース部１０２に送出する。ＬＡＮインタフェース部１０２は、呼情報３０８から発呼に関する制御パケット３１２を生成しＬＡＮ１１２に送出する。ＬＡＮインタフェース部１０２は、ＬＡＮ１１２上にある試験対象装置（図示せず）から応答に関する制御パケット３１３を受信すると、応答信号３０９を生成しアナログインタフェース部１０１に送出する。
【００１４】
アナログインタフェース部１０１は、応答信号３０９を受信するとＲＢＴ信号の送出を停止し、アナログ信号３００の極性を反転させ、制御線１０７を介して音声開始の情報３１０をＬＡＮインタフェース部１０２に送出する。これに応じてＬＡＮインタフェース部１０２は、複数の音声パケット３１４−１〜ｎ（ｎは正数）をＬＡＮ１１２に送出する。期間３０７は通話パスの保持期間である。この間に擬似呼発生装置１０４は、極性の反転を検出すると、あらかじめ装置に設定された時間だけ通話状態を保持する。擬似呼発生装置１０４が通話パスの切断を実行すると、アナログインタフェース部１０１は、切断信号３１１をＬＡＮインタフェース部１０２に送出し、これに応じてＬＡＮインタフェース部１０２は、呼切断に関する制御パケット３１５をＬＡＮ１１２に送出する。
【００１５】
図４は、擬似呼ＩＰ化変換装置が着信動作をなす時の各部の信号形状を示している。該信号形状について図２に示される構成要素を適宜参照して説明する。尚、図示されるパケットは着信動作に係わるもののみが示されている。
【００１６】
制御・音声パケット４００は、ＬＡＮ回線１１１を介してＬＡＮインタフェース部１０２とＬＡＮ１１２との間で入出力されるＩＰ電話方式に従った制御パケット又は音声パケットである。制御信号４０１は、アナログインタフェース部１０１からＬＡＮインタフェース部１０２に送られる制御信号であり、制御線１０７を介して出力される。制御信号４０２は、ＬＡＮインタフェース部１０２からアナログインタフェース部１０１に送られる制御信号であり、制御線１０８を介して出力される。アナログ信号４０３は、２線式アナログ電話方式に従った信号形状であり、図２に示された擬似呼ＩＰ化変換装置１００のアナログインタフェース部１０１からアナログ回線１０６を介して擬似呼発生装置１０４に印加される。
【００１７】
ＬＡＮインタフェース部１０２は、ＬＡＮ１１２上に存在する試験対象装置（図示せず）から送られる着信に関する制御パケット４０４を受信すると、アナログインタフェース部１０１に着呼に関する制御信号４０９を送出する。アナログインタフェース部１０１は、着呼４０９を受信すると、擬似呼発生装置１０４にリンギング信号を送出し着信を通知する。期間４１１の間にリンギング信号を受信した擬似呼発生装置１０４は、極性を反転させ通話状態４１２に遷移する。アナログインタフェース部１０１は、極性反転を検出すると応答信号４０８をＬＡＮインタフェース部１０２に送出する。ＬＡＮインタフェース部１０２は、ＬＡＮ１１２に応答パケット４０５送出し、試験対象装置にパスが張られた旨を通知し、複数の音声パケット４０６−１〜ｎ（ｎは正数）の送出を促す。擬似呼発生装置１０４は、予め設定された時間期間で通話パスを維持すると発信側として切断動作に入る。ＬＡＮインタフェース部１０２は、切断に関する制御パケット４０７を受信するとアナログインタフェース部１０１に切断情報４１０を送信する。これに応じてアナログインタフェース部１０１は、擬似呼発生装置１０４との通話パスを切断する。
【００１８】
以上の動作により、擬似呼ＩＰ化変換装置１００は、擬似呼発生装置１０４とＩＰ網であるＬＡＮ１１２との間の中継装置として、発信及び着信の一対の中継路からなる１つのチャネルを設定し、該中継路の各々において、擬似呼発生装置１０４の擬似電話信号とＩＰ網であるＬＡＮ１１２のＩＰ電話信号との間で信号変換をなす変換手段を提供することができる。
【００１９】
以上の第１の実施例に示される擬似呼ＩＰ化変換装置を、既存の擬似呼発生装置とＬＡＮネットワークの間に配置することにより、既存の擬似呼発生装置を利用してＩＰ−ＰＢＸ又は呼制御サーバ等のＩＰ電話交換機の呼処理能力の解析及び過負荷試験を実行することができる。なお、ＬＡＮ側で用いるＩＰ電話プロトコル（例えば、Ｈ．３２３、ＭＧＣＰ及びＳＩＰ）の違いにより、通話パスが確立するまでのネゴシエーションの回数が異なることで呼制御パケットの数量が違ってくるが、基本的には以上の構成及び動作手順により、異なる呼制御プロトコルにおいても通話パスを確立して擬似呼発生装置を用いた試験を行うことができる。
＜第２の実施例＞
図５は、呼制御サーバに対して擬似呼ＩＰ化変換装置を適用した実施例を示している。本図の上段に、呼制御サーバ５０６を介してＩＰ電話５００及び５０１の相互通話を実行する実環境の構成が示されている。一方、本図の下段には、実環境の形態に既存の擬似呼発生装置５０７を使用して呼制御サーバ５０６の処理能力の解析及び過負荷試験を実行する擬似環境の構成が示されている。本第２の実施例における擬似呼ＩＰ化変換装置５０８の内部構成は、第１の実施例における擬似呼ＩＰ化変換装置１００（図２参照）と同様である。
【００２０】
以下に、呼制御サーバ５０６を介したＩＰ電話５００及び５０１間の一般的な通話動作を説明する。ＩＰ電話５００及び５０１並びに呼制御サーバ５０６は、ＬＡＮケーブルであるＬＡＮ回線５０２〜５０４を介してＬＡＮ５０５に接続される。ＩＰ電話５００からＩＰ電話５０１に発信する場合、ＩＰ電話５００は、呼制御サーバ５０６に接続要求パケットを送出しＩＰ電話５０１のＩＰアドレスを取得する。呼制御サーバ５０６は、ＩＰ電話５０１に着信パケット送出しＩＰ電話５０１を呼び出し、ＩＰ電話５００のＩＰアドレス及び電話番号等の呼情報を通知する。ＩＰ電話５０１がオフフックすると、ＩＰ電話５０１は呼制御サーバ５０６に応答パケットを送信する。応答パケットを受信した呼制御サーバ５０６は、ＩＰ電話５００に応答パケット送信する。以上の手順でＩＰ電話５００とＩＰ電話５０１の間に通話パスを形成し通話が開始される。一方、切断動作として、ＩＰ電話５００がオンフックするとＩＰ電話５００は切断パケットを呼制御サーバ５０６に送信する。同様に、ＩＰ電話５０１がオンフックすると切断パケットを呼制御サーバ５０６に送出する。このようにしてＩＰ電話５００とＩＰ電話５０１の通話パスが開放される。
【００２１】
上記の環境に既存の擬似呼発生装置５０７を利用し呼制御サーバ５０６の性能評価を実行する場合、本発明である擬似呼ＩＰ化変換装置５０８の発信及び着信ポートとしてＬＡＮ回線５０２及び５０３を各々接続し、擬似呼発生装置５０７との間はアナログインタフェースの上り及び下りポートに２線式のアナログ回線５０９及び５１０を各々接続する。発信側のＩＰ電話５００又は５０１のオフフック及びオンフックならびにダイヤル、対向する着信側のＩＰ電話５０１又は５００のオフフック及びオンフックの等の動作は擬似呼発生装置５０７が実行する。ＩＰ電話５００及び５０１と呼制御サーバ５０６との間の制御パケットの送受信は擬似呼ＩＰ化変換装置５０８が実行する。
＜第３の実施例＞
図６は、ＩＰ−ＰＢＸに対して擬似呼ＩＰ化変換装置を適用した実施例を示している。本図の上段に、ＩＰ−ＰＢＸ６０４を介してＩＰ電話６００とアナログ電話６０６で通話が実行される実環境の構成が示され、本図の下段には、既存の擬似呼発生装置６０７を利用してＩＰ−ＰＢＸ６０４の性能評価を実行す擬似環境の構成が示されている。本第３の実施例における擬似呼ＩＰ化変換装置６０９の内部構成は、第１の実施例における擬似呼ＩＰ化変換装置１００（図２参照）と同様である。
【００２２】
実環境において、ＩＰ電話６００は、ＬＡＮ回線６０１でＬＡＮ６０２と接続される。ＩＰ−ＰＢＸ６０４は、ＬＡＮ回線６０３でＬＡＮ６０２と接続される。アナログ電話６０６は、２線式のアナログ回線６０５でＩＰ−ＰＢＸ６０４と接続される。ＩＰ電話６００を発信側とした場合、ＩＰ電話６００は、オフフックならびにダイヤル後、接続要求パケットをＩＰ−ＰＢＸ６０４に送信する。ＩＰ−ＰＢＸ６０４はリンギング信号を送出し、アナログ電話６０６を呼び出す。アナログ電話６０６がオフフックするとアナログ回線６０５の極性が反転し、これに応じてＩＰ−ＰＢＸ６０４はＩＰ電話６００に応答パケットを送信する。以上の手順で通話パスが確立される。一方、切断は、ＩＰ電話６００がオンフックすると切断パケットをＩＰ−ＰＢＸ６０４に送出する。アナログ電話６０６がオンフックするとアナログ回線６０５の極性が反転し、ＩＰ−ＰＢＸ６０４は通話の終了を検出し、ＩＰ電話６００とＩＰ−ＰＢＸ６０４との通話パスを開放する。
【００２３】
擬似環境において、擬似呼発生装置６０７の上り（発信）ポート側は、２線式のアナログ回線６０８介して擬似呼ＩＰ化変換装置６０９に接続される。擬似呼ＩＰ化変換装置６０９はＬＡＮ回線６０１を介してＬＡＮ６０２に接続され、ＬＡＮ６０２はＬＡＮ回線６０３を介してＩＰ−ＰＢＸ６０４に接続されている。一方、擬似呼発生装置６０７の下り（着信）ポート側は、２線式のアナログ回線６１０を介してＩＰ−ＰＢＸ６０４のアナログインタフェース部に直接接続される。ここで、発信側のＩＰ電話６００のオフフック及びオンフックならびにダイヤル等の擬似動作は擬似呼発生装置６０７が実行する。ＩＰ−ＰＢＸ６０４に対する制御パケットの送受信は擬似呼ＩＰ化変換装置６０９が実行する。アナログ電話６０６のオフフック及びオンフック等の擬似動作は擬似呼発生装置６０７が実行する。これにより、既存の擬似呼発生装置６０７を利用することにより、ＩＰ−ＰＢＸ６０４の性能評価を実行することができる。
【００２４】
以上ではＩＰ電話側が発信をなす場合について述べたが、アナログ電話６０６が発信をなしＩＰ電話６００が着信をなす場合についても性能を評価することが可能である。この場合、擬似呼発生装置６０７の上りポート側にＩＰ−ＰＢＸ６０４のアナログインタフェース部を直接収容し、擬似呼発生装置６０７の下りポート側に擬似呼ＩＰ化変換装置６０９を接続し、擬似呼ＩＰ化変換装置６０９のＬＡＮポート側にＩＰ−ＰＢＸ６０４を接続するようにする。
＜第４の実施例＞
図７に、複数チャネルを提供する擬似呼ＩＰ化変換装置の実施例を示している。本第４の実施例における擬似呼ＩＰ化変換装置７０２の内部構成は、第１の実施例における擬似呼ＩＰ化変換装置１００（図２参照）と基本的に同様であるが、上り及び下りの２つのアナログ回線からなる１対のチャネルを複数チャネル含み、対応して上り及び下りの２つのＬＡＮ回線からなる１対のチャネルを複数チャネル含む点で異なる。すなわち、擬似呼ＩＰ化変換装置７０２は、擬似呼発生装置７００側に複数のアナログ回線チャネル７０１−１〜ｎ（ｎは正数）を収容し、ＬＡＮ７０４側に同数のＬＡＮ回線チャネル７０３−１〜ｎを収容する。かかる構成に相応して、擬似呼ＩＰ化変換装置７０２は、第１の実施例における擬似呼ＩＰ化変換装置１００（図２参照）におけるアナログインタフェース部１０１、ＬＡＮインタフェース部１０２及びプロトコル変換部１０３からなるセットをｎセット含む構成となる。ＬＡＮ７０４には、例えば、試験対象となるべき呼制御サーバ７０６が接続される。
【００２５】
第１〜第３の実施例では、発信側１チャネル及び着信側１チャネルとする構成であった。しかし、通常の擬似呼発生装置は、発信側及び着信側ともに複数チャネルのアナログ回線インタフェースを有する。そこで、本第４の実施例では、複数チャネルを備える擬似呼ＩＰ化変換装置を提供することにより、複数の発信側から同時発信や連続発信を実行することができる。この機能によりシステム全体の性能評価や過負荷試験を実行することができる。
【産業上の利用可能性】
【００２６】
本発明による擬似呼ＩＰ化変換装置を用いることで、従来からのアナログ電話交換機のための擬似呼発生装置を流用することができる。かかる流用により、擬似呼発生装置が提供する一定の評価基準の下に性能評価が可能となる共に、既存のアナログ電話システムとの呼制御能力の比較も可能となる。
【図面の簡単な説明】
【００２７】
【図１】従来の擬似呼発生装置の利用形態を示している説明図である。
【図２】本発明の第１の実施例であり、擬似呼ＩＰ化変換装置の構成を示しているブロック図である。
【図３】発信時の動作を説明しているタイムチャートである。
【図４】着信時の動作を説明しているタイムチャートである。
【図５】第２の実施例であり、呼制御サーバに対して擬似呼ＩＰ化変換装置を適用した実施例を示しているブロック図である。
【図６】第３の実施例であり、ＩＰ−ＰＢＸに対して擬似呼ＩＰ化変換装置を適用した実施例を示しているブロック図である。
【図７】第４の実施例であり、複数チャネルを提供する擬似呼ＩＰ化変換装置の実施例を示しているブロック図である。
【符号の説明】
【００２８】
１００、５０８、６０９、７０２  擬似呼ＩＰ化変換装置
１０１  アナログインタフェース部
１０２  ＬＡＮインタフェース部
１０３  プロトコル制御部
１０４、５０７、６０７、７００  擬似呼発生装置
１０５、１０６、５０９、５１０、６０５、６０８、６１０  アナログ回線
１０７、１０８、１０９  制御線
１１０、１１１、５０２〜５０４、６０１、６０３、７０５  ＬＡＮ回線
１１２、５０５、６０２、７０４  ＬＡＮ
５００、５０１、６００  ＩＰ電話機
５０６、７０６  呼制御サーバ
６０４  ＩＰ−ＰＢＸ
６０６  アナログ電話
７０１−１〜７０１−ｎ  アナログ回線チャネル
７０３−１〜７０３−ｎ  ＬＡＮ回線チャネル
７０５  ＬＡＮ回線
【図１】
2006237669.tif 000003
【図２】
2006237669.tif 000004
【図３】
2006237669.tif 000005
【図４】
2006237669.tif 000006
【図５】
2006237669.tif 000007
【図６】
2006237669.tif 000008
【図７】
2006237669.tif 000009